(57)【要約】【課題】部品増加による装置大型化やコスト増加を防止する。【解決手段】磁気カード読取り装置１２は、商品購入時に磁気カードＸＡ１がスワイプされることで、磁気カードＸＡ１に記憶されているカードＩＤに対するサービスポイントの付与、又はカードＩＤに付与されているサービスポイントの還元を行う。この磁気カード読取り装置１２は、磁気カードＸＡ１がスワイプされた方向を判別するカード情報解読部２７ａと、スワイプされた磁気カードＸＡ１に記憶されているカードＩＤを読み取る磁気カード読取り部２９と、磁気カード情報解読部２７ａで順方向と判別された場合に、磁気カード読取り部２９で読み取られたカードＩＤにサービスポイントの付与を行うと共に、磁気カード情報解読部２７ａで逆方向と判別された場合に、磁気カード読取り部２９で読み取られたカードＩＤに紐付けられているサービスポイントの還元を行うポイント制御部２７ｂと、を備えている。【選択図】図３
2015114883.tif 000002
【特許請求の範囲】
【請求項１】
商品購入時に磁気カードがスワイプされることで、前記磁気カードに記憶されている識別情報に対するサービスポイントの付与、又は前記識別情報に紐付けられているサービスポイントの還元を行うポイント付与還元磁気カード読取り装置であって、
前記磁気カードがスワイプされた方向を判別するスワイプ方向判別手段と、
スワイプされた前記磁気カードに記憶されている前記識別情報を読み取る識別情報読取り手段と、
前記スワイプ方向判別手段で順方向と判別された場合に、前記識別情報読取り手段で読み取られた前記識別情報にサービスポイントの付与を行うと共に、前記スワイプ方向判別手段で逆方向と判別された場合に、前記識別情報読取り手段で読み取られた前記識別情報に紐付けられているサービスポイントの還元を行うポイント制御手段と、を備えていることを特徴とする、
ポイント付与還元磁気カード読取り装置。
【発明の詳細な説明】
【技術分野】
【０００１】
本発明は、顧客が所持する"ＩＤが記憶されたカード"に紐付けされたポイント情報をサーバーにて管理するとともに商品の販売時にポイントを付与あるいは利用（還元）出来るポイント付与還元システムにおいて、特に自動販売機においてポイントを使用して商品を販売する磁気カード読取り装置に関する。
【背景技術】
【０００２】
従来、顧客の所持するカードのＩＤに対して、商品購入代金に応じたポイントを付与したり、ポイントを使用して商品を販売したりするポイントサービスがある。例えばコンビニエンスストアなど対面式の小売店舗では、客が代金支払いに伴いポイントカードを提示すると、レジ担当者はそのポイントカードをＰＯＳレジスタの磁気カードリーダに読み取らせる。ＰＯＳレジスタは読み取った磁気情報からカードＩＤを取得したあと、ポイント管理サーバーと通信してそのカードＩＤに対してサーバーに予め蓄積されているポイントを取得し、ＰＯＳレジスタの表示部に表示することでレジ担当者にポイント通知する。
【０００３】
レジ担当者は顧客にそのポイントの値を伝えるとともに「ポイントを貯める（付与）か、使う（還元）か」の問いかけを行い、顧客の指示に従ってレジ担当者がＰＯＳレジスタレジスタを操作することにより、ＰＯＳレジスタが再度ポイント管理サーバーと通信をしてそのカードＩＤに対して蓄積されているポイントに、商品購入代金に応じたサービスポイントを付与（加算）させる、あるいは、蓄積されているポイントから商品購入代金に応じたサービスポイントを還元（減算）させる。サービスポイントを還元（減算）することにより、ポイントが支払いに利用されるのが一般的である。
【０００４】
一方、自動販売機の場合、ポイントカードにサービスポイントを付与する自動販売機がある。例えば、特許文献１〜３に開示された技術では、自動販売機がカードリーダライタを備え、商品を販売する際に、予め客に発行しておいたポイントカードに対してサービスポイントを書き込む。
【０００５】
また、当社の出願である特許文献４には、自動販売機にカードリーダを備え、商品を販売する際に、カードリーダにポイントカードに紐付けたサービスポイントを記憶し、ＵＳＢメモリなどの媒体でそのサービスポイントを収集してサーバーに蓄積する技術が開示されている。
【０００６】
また、特許文献５には、カードに記憶されたポイントを利用した商品販売技術の開示がある。
【０００７】
また、特許文献６には、ポイントをカードに記憶して、そのポイントを使用して商品を販売する技術が開示されている。
【先行技術文献】
【特許文献】
【０００８】
【特許文献１】特開平０９−２９７８８１号公報
【特許文献２】特開２０００−２５９８９８号公報
【特許文献３】特開２００１−０８４４３６号公報
【特許文献４】特開２０１３−０７７２６１号公報（段落［００７４］〜［００８０］及び図１４参照）
【特許文献５】特開２００５−２０８９６３号公報（段落［００２８］参照）
【特許文献６】特開２０００−０３０１１６号公報
【発明の概要】
【発明が解決しようとする課題】
【０００９】
カードを利用して商品購入代金に応じたポイントを付与させたり、カードのポイントを利用して商品を購入させたりする自動販売機は普及してこなかった。その理由は、非対面式の自動販売機の場合、顧客自らが主としてボタンによって意思を示す必要がある。よって、顧客がポイントを貯めるか使うかを決定するための操作ボタン「貯める」「使う」を付加しなければならず、部品増加による装置大型化やコストが増加する問題や、また商品の購入前にワンアクション増えることになり、顧客へ操作方法を周知させることが難しいことと、操作の煩雑さが問題となることなどが挙げられる。
【００１０】
本発明は、上記課題を鑑みてなされたものであり、顧客に簡単な操作でポイントの付与と還元が可能なポイント付与還元システムを利用するための、部品増加による装置大型化やコスト増加をすることのない磁気カード読取り装置を提供することを目的としている。
【課題を解決するための手段】
【００１１】
本発明は、商品購入時に磁気カードがスワイプされることで、前記磁気カードに記憶されている識別情報に対するサービスポイントの付与、又は前記識別情報に紐付けられているサービスポイントの還元を行うポイント付与還元磁気カード読取り装置であって、前記磁気カードがスワイプされた方向を判別するスワイプ方向判別手段と、スワイプされた前記磁気カードに記憶されている前記識別情報を読み取る識別情報読取り手段と、前記スワイプ方向判別手段で順方向と判別された場合に、前記識別情報読取り手段で読み取られた前記識別情報にサービスポイントの付与を行うと共に、前記スワイプ方向判別手段で逆方向と判別された場合に、前記識別情報読取り手段で読み取られた前記識別情報に紐付けられているサービスポイントの還元を行うポイント制御手段と、を備えていることを特徴とする、ポイント付与還元磁気カード読取り装置である。
【００１２】
本発明によれば、磁気カードをスワイプする方向が「順方向」であるか「逆方向」であるかによって、顧客の希望が、サービスポイントの付与と還元とのどちらであるかを判別できる。このため、サービスポイントの付与と還元とを判別するための操作ボタンを別途設置する必要がなく、部品増加による装置大型化やコスト増加を防止することができる。
【００１３】
そして、磁気カードの読取り操作と、サービスポイントの付与と還元との選択操作と、をワンアクションでまとめて行うことができ、操作の煩雑さがない。また、スマートフォンやタブレット端末が急速に普及して、ジェスチャーによる操作（例えば、スワイプ、フリックなど）が流行になりつつあることから、本発明は、スワイプによる簡単な操作でサービスポイントの付与と還元が可能であるといえる。
【発明の効果】
【００１４】
本発明のポイント付与還元磁気カード読取り装置によれば、部品増加による装置大型化やコスト増加をすることなく、顧客に簡単な操作でポイントの付与と還元が可能なポイント付与還元システムを利用することができる。
【図面の簡単な説明】
【００１５】
【図１】本発明の実施形態に係る磁気カード読取り装置を備えるポイント付与還元システムの構成を示すブロック図である。
【図２】自動販売機の構成を示すブロック図である。
【図３】磁気カード読取り装置の概略図である。
【図４】別の形態の磁気カード読取り装置の概略図である。
【図５】磁気カードに記憶されている情報の概念図である。
【図６】磁気カード読取り装置の動作を説明するフローチャートである。
【図７】ポイント付与還元システムにおけるサービスポイントの還元の流れを説明するフローチャートである。
【図８】ポイント付与還元システムにおけるサービスポイントの還元の別の流れを説明するフローチャートである。
【図９】ポイント付与還元システムにおけるサービスポイントの還元の更に別の流れを説明するフローチャートである。
【発明を実施するための形態】
【００１６】
以下、図面を参照して、本発明の実施形態に係る磁気カード読取り装置（ポイント付与還元磁気カード読取り装置）１２を備えるポイント付与還元システム１０について詳細に説明する。なお、本発明が以下の実施形態にて説明する磁気カード読取り装置１２の構成に限定されるものではない。
【００１７】
まず、図１〜図３を用いて、ポイント付与還元システム１０の構成について説明する。図１は、ポイント付与還元システム１０の構成を示すブロック図である。図２は、自動販売機１１の構成を示すブロック図である。図３は、磁気カード読取り装置１２の概略図である。なお、図１〜図３及びそれ以降の各図において、一部の構成を適宜省略して、図面を簡略化する。
【００１８】
図１に示すポイント付与還元システム１０は、顧客の所持する磁気カードＸＡ１の識別情報（以下、カードＩＤという。）に対して、商品購入代金に応じたサービスポイントを付与したり、サービスポイントで商品を販売したりするポイントサービスを、自動販売機１１において実現するものである。
【００１９】
このポイント付与還元システム１０は、予め顧客に対して発行したポイントカードなどの磁気カードＸＡ１のカードＩＤを、後述するポイント管理サーバー（サーバー）１３のデータベースに登録している。
【００２０】
そして、ポイント付与還元システム１０は、顧客が自動販売機１１で商品を購入する際に、サービスポイントの付与を希望する操作を行うと共に、磁気カード読取り装置１２で磁気カードＸＡ１のカードＩＤを読み取らせた場合に、磁気カード読取り装置１２で読み取ったカードＩＤと一致するデータベース内のカードＩＤに対してサービスポイントを付与し、ポイント管理サーバー１３にデータベースで管理させる。
【００２１】
また、ポイント付与還元システム１０は、顧客が自動販売機１１で商品を購入する際に、サービスポイントの還元（ポイント支払い）を希望する操作を行うと共に、磁気カード読取り装置１２で磁気カードＸＡ１のカードＩＤを読み取らせた場合に、磁気カード読取り装置１２で読み取ったカードＩＤと一致するデータベース内のカードＩＤからサービスポイントを還元し、ポイント管理サーバー１３にデータベースで管理させる。
【００２２】
具体的に、ポイント付与還元システム１０は、複数の自動販売機１１と、これら複数の自動販売機１１に一台ずつ取り付けられた（接続された）複数の磁気カード読取り装置１２と、これら複数の磁気カード読取り装置１２とネットワーク（通信回線）ＮＷを介して接続されたポイント管理サーバー１３と、を備えている。このようなポイント付与還元システム１０は、自動販売機１１に接続された磁気カード読取り装置１２が、顧客が所持する磁気カードＸＡ１からカードＩＤを読み取り、ネットワークＮＷを介して接続されたポイント管理サーバー１３より、カードＩＤに紐付けされたポイントデータ（サービスポイントの情報）を取得することになる。
【００２３】
図２に示すように、自動販売機１１は、主制御ユニット１４と、商品を収納する商品収納部１５と、この商品収納部１５の温度を管理し、温めたり冷やしたり制御する収納部温冷装置１６と、商品収納部１５から商品を払い出す商品払出部１７と、金額情報及び販売可能か否かを表示する金額等表示器１８と、硬貨を受け付け、その硬貨を返却したり釣銭を払い出したりする硬貨処理装置１９と、紙幣を受け付け、その紙幣を返却する紙幣処理装置２０と、商品選択スイッチ２１と、メンテナンスリモコン２２と、当該自動販売機１１の各部を一体的に接続して通信を行う配線となるバス２３と、を備えている。
【００２４】
さらに、自動販売機１１には、磁気カードＸＡ１からカードＩＤを読み取る磁気カード読取り装置１２が搭載されている。
【００２５】
主制御ユニット１４は、自動販売機１１の各部を統括的に制御する。この主制御ユニット１４は、ＣＰＵ２４と、売上情報、売切れ情報などの各種情報を一時的に記憶するＲＡＭ２５と、当該主制御ユニット１４の各部を一体的に接続して通信を行う配線となるバス２６と、などを備えている。そして、主制御ユニット１４は、自動販売機１１の各部を、ＪＶＭＡ（Japan Vending Machine Manufacturers Association、日本自動販売機工業会）準拠のシリアル通信形式で接続している。
【００２６】
磁気カード読取り装置１２は、磁気ストライプカードである磁気カードＸＡ１がカードスワイプ通路３５ａ（図３参照）をスワイプされることで、当該磁気カードＸＡ１に記憶されているカードＩＤなどの情報を読み取る。そして、磁気カード読取り装置１２は、磁気カードＸＡ１がカードスワイプ通路３５ａ（図３参照）をスワイプされた方向が順方向の場合に、読み取ったカードＩＤに対するサービスポイントの付与を行う。また、磁気カード読取り装置１２は、磁気カードＸＡ１がカードスワイプ通路３５ａ（図３参照）をスワイプされた方向が逆方向の場合に、読み取ったカードＩＤに紐付けられているサービスポイントの還元を行う。
【００２７】
具体的に、磁気カード読取り装置１２は、読取り装置制御部２７と、自動販売機１１のバス２３に接続された通信インターフェイスボードからなる主制御通信部２８と、磁気カードＸＡ１のカードＩＤなどの情報を読み取る磁気カードリーダからなる磁気カード読取り部２９と、当該磁気カード読取り装置１２の稼働状況を表示して当該事項を顧客に報せる稼働状況表示部３０と、磁気カード読取り部２９による読取り状況を表示して当該事項を顧客に報せる読取り状況表示部３１と、各種情報を音声で報知するスピーカー３２と、磁気カード読取り部２９が読み取ったカードＩＤなどの情報を一時的に記憶するＲＡＭ３３と、ネットワークＮＷを介してポイント管理サーバー１３と通信するサーバー通信部３４と、カードスワイプ通路３５ａ（図３参照）と、を備えている。
【００２８】
読取り装置制御部２７は、磁気カード読取り装置１２の各部を統括的に制御する。この読取り装置制御部２７は、ＲＡＭ３３に一時的に記憶していたカードＩＤなどの情報を、商品の取引が終了したことを契機に消去する。商品の取引は、１個の商品が販売されたタイミングで強制的に終了するようにしたり、現金が投入されている状態で、かつ、自動販売機１１が操作されていない状態が、予め設定されている時間継続したタイミングで終了するようにしたり、あるいは、カードＩＤが読み取られた後、現金が投入されない状態が、予め設定されている時間継続したタイミングで終了するようにしたりするなど、終了するタイミングは、適宜設定される。
【００２９】
主制御通信部２８は、自動販売機１１の主制御ユニット１４と通信して各種情報を遣り取りする。磁気カード読取り部２９は、カードスワイプ通路３５ａ（図３参照）をスワイプされた磁気カードＸＡ１からカードＩＤなどの情報を読み取る識別情報読取り手段として機能する。
【００３０】
図２及び図３に示す稼働状況表示部３０は、磁気カード読取り部２９によるカードＩＤなどの情報の読取りが可能な場合に、読取り可能であることを報知するランプを点灯させる。一方、稼働状況表示部３０は、磁気カード読取り部２９によるカードＩＤなどの情報の読取りが可能ではない場合に、読取り可能であることを報知するランプを消灯させる。
【００３１】
読取り状況表示部３１は、磁気カードＸＡ１がカードスワイプ通路３５ａ（図３参照）をスワイプされた方向が順方向であって、カード読取り部２９による読取りに成功した場合に、サービスポイントを付与すること（貯めること）を報知する「ためる」のランプを点灯させる。一方、読取り状況表示部３１は、磁気カードＸＡ１がカードスワイプ通路３５ａ（図３参照）をスワイプされた方向が逆方向であって、カード読取り部２９による読取りに成功した場合に、サービスポイントを還元すること（利用すること）を報知する「つかう」のランプを点灯させる。スピーカー３２は、磁気カード読取り装置１２の状況や、カード読取り部２９による磁気カードＸＡ１の読取り結果などを音声で出力する。
【００３２】
図３に示すように、カードスワイプ通路３５ａは、垂直方向に直線的にスリット状に形成されている。このカードスワイプ通路３５ａは、上から下の方向を順方向とし、下から上の方向を逆方向とする。
【００３３】
なお、本発明のポイント付与還元磁気カード読取り装置は、図３に示す磁気カード読取り装置１２のように、カードスワイプ通路が鉛直方向に形成されていることに限定されるものではない。本発明のポイント付与還元磁気カード読取り装置は、次に説明する磁気カード読取り装置４２のように、カードスワイプ通路が水平に形成されていてもよい。
【００３４】
次に、図４を用いて、磁気カード読取り装置４２の構成を説明する。図４は、磁気カード読取り装置４２の概略図である。なお、磁気カード読取り装置１２と同様の構成の説明は省略し、特徴部分のみを説明する。
【００３５】
図４に示すように、磁気カード読取り装置４２は、カードスワイプ通路３５ｂを備えている。カードスワイプ通路３５ｂは、水平方向に直線的にスリット状に形成されている。このカードスワイプ通路３５ｂは、左から右の方向を順方向とし、右から左の方向を逆方向とする。
【００３６】
図２に戻って説明する。読取り装置制御部２７は、磁気カードＸＡ１の情報を解読する磁気カード情報解読部２７ａと、この磁気カード情報解読部２７ａで解読したカードＩＤに紐付けられたサービスポイントを制御するポイント制御部２７ｂと、を構成する。磁気カード情報解読部２７ａは、磁気カードＸＡ１がカードスワイプ通路３５ａ（図３参照）をスワイプされた方向を判別するスワイプ方向判別手段として機能する。
【００３７】
ここで、カード情報解読部２７ａを説明するに際し、図５を用いて、磁気カードＸＡ１に記憶されている情報について説明する。図５は、磁気カードＸＡ１に記憶されている情報の概念図である。
【００３８】
図５に示すように、磁気カードＸＡ１に記憶されている情報は、開始符号ＳＴＸと、カードＩＤを含むデータ本体と、終了符号ＥＴＸと、の順番に整列されている。この情報は、磁気カードＸＡ１がカードスワイプ通路３５ａを順方向にスワイプされた場合に、開始符号ＳＴＸ、データ本体、終了符号ＥＴＸの順番で磁気カード読取り部２９に読み取られる。そして、この情報は、磁気カードＸＡ１がカードスワイプ通路３５ａを逆方向にスワイプされた場合に、終了符号ＥＴＸ、データ本体、開始符号ＳＴＸの順番で磁気カード読取り部２９に読み取られる。
【００３９】
図２に戻って説明する。磁気カード情報解読部２７ａは、磁気カード読取り部２９で読み取られた磁気カードＸＡ１の情報が、開始符号ＳＴＸ、データ本体、終了符号ＥＴＸの順番であった場合、磁気カードＸＡ１がカードスワイプ通路３５ａをスワイプされた方向を順方向と判別する。そして、磁気カード情報解読部２７ａは、磁気カード読取り部２９で読み取られた磁気カードＸＡ１の情報が、終了符号ＥＴＸ、データ本体、開始符号ＳＴＸの順番であった場合、磁気カードＸＡ１がカードスワイプ通路３５ａをスワイプされた方向を逆方向と判別する。
【００４０】
ポイント制御部２７ｂは、磁気カード読取り部２９でカードＩＤが読み取られた後に、当該カードＩＤと紐付けられたサービスポイントの情報を要求する信号を、ネットワークＮＷを介してポイント管理サーバー１３に送信する。そして、ポイント制御部２７ｂは、ポイント管理サーバー１３からの応答として、当該サービスポイントなどの情報をポイント管理サーバー１３から取得する。
【００４１】
また、ポイント制御部２７ｂは、磁気カードＸＡ１がカードスワイプ通路３５ａをスワイプされた方向が、磁気カード情報解読部２７ａによって順方向と判別された場合に、磁気カード読取り部２９で読み取られたカードＩＤにサービスポイントの付与を行うポイント加算処理を実行する。
【００４２】
具体的に、ポイント制御部２７ｂは、ポイント管理サーバー１３から取得している情報を利用してポイント加算処理を実行する。すなわち、ポイント制御部２７ｂは、ポイント管理サーバー１３から取得している情報に含まれるサービスポイントの値に、商品購入代金に応じたサービスポイントの値を加算する。そして、ポイント制御部２７ｂは、カードＩＤや、加算後のサービスポイントの値などの情報と共に、サービスポイントの情報の更新を要求する信号を、ネットワークＮＷを介してポイント管理サーバー１３に送信する。これにより、ポイント管理サーバー１３のデータベースが更新される。また、ポイント制御部２７ｂは、ポイント管理サーバー１３からの応答として、更新結果を報せる情報をポイント管理サーバー１３から取得する。
【００４３】
一方、ポイント制御部２７ｂは、磁気カードＸＡ１がカードスワイプ通路３５ａをスワイプされた方向が、磁気カード情報解読部２７ａによって逆方向と判別された場合に、磁気カード読取り部２９で読み取られたカードＩＤに紐付けられているサービスポイントの還元を行う決済処理を実行する。
【００４４】
具体的に、ポイント制御部２７ｂは、ポイント管理サーバー１３から取得している情報を利用して決済処理を実行する。すなわち、ポイント制御部２７ｂは、ポイント管理サーバー１３から取得している情報に含まれるサービスポイントの値から、商品購入代金に相当するサービスポイントの値を減算する。そして、ポイント制御部２７ｂは、カードＩＤや、減算後のサービスポイントの値などの情報と共に、サービスポイントの情報の更新を要求する信号を、ネットワークＮＷを介してポイント管理サーバー１３に送信する。これにより、ポイント管理サーバー１３のデータベースが更新される。また、ポイント制御部２７ｂは、ポイント管理サーバー１３からの応答として、更新結果を報せる情報をポイント管理サーバー１３から取得する。
【００４５】
次に、図６を用いて、磁気カード読取り装置１２の動作について説明する。図６は、磁気カード読取り装置１２の動作を説明するフローチャートである。
【００４６】
図６に示すように、磁気カード読取り部２９によるカードＩＤなどの情報の読取りが可能な待機状態において、磁気カードＸＡ１がカードスワイプ通路３５ａをスワイプされることで、磁気カード読取り部２９による読取りが行われる。磁気カード読取り部２９に読み取られた情報は、磁気カード情報解読部２７ａで逐次解読される。
【００４７】
磁気カード読取り部２９が、最初に開始符号ＳＴＸを読み取った場合には、以降、終了符号ＥＴＸを読み取るまで、磁気カードＸＡ１に記憶されている情報を読み取り、サービスポイントを貯める処理（機能１）を実行する。一方、磁気カード読取り部２９が、最初に終了符号ＥＴＸを読み取った場合には、以降、開始符号ＳＴＸを読み取るまで、磁気カードＸＡ１に記憶されている情報を読み取り、サービスポイントを使う処理（機能２）を実行する。
【００４８】
次に、図７を用いて、ポイント付与還元システム１０におけるサービスポイントを使う処理（機能２）の流れ、すなわち、ポイント付与還元システム１０におけるサービスポイントの還元の流れを説明する。図７は、ポイント付与還元システム１０におけるサービスポイントの還元の流れを説明するフローチャートである。
【００４９】
図７に示すように、まず、顧客は、稼働状況表示部３０における「読取り可能であること」を報知するランプの点灯を目視することで、自動販売機１１及び磁気カード読取り装置１２が稼働中であることを確認する。そして、顧客は、サービスポイントにより商品を購入するべく、カードスワイプ通路３５ａにおける逆方向に磁気カードＸＡ１をスワイプさせる。これにより、磁気カード読取り装置１２は、磁気カード読取り部２９によって、スワイプされた磁気カードＸＡ１のカードＩＤを取得し、磁気カード情報解読部２７ａによって、磁気カードＸＡ１が逆方向にスワイプされたことを認識する。そして、磁気カード読取り装置１２は、稼働状況表示部３０における「読取り可能であること」を報知するランプを消灯させ、読取り状況表示部３１における「つかう」のランプを点灯させる。
【００５０】
顧客は、読取り状況表示部３１における「つかう」のランプが点灯したことを認識し、サービスポイントを利用した販売動作となったことを確認する。磁気カード読取り装置１２のポイント制御部２７ｂは、カードＩＤに紐付いたサービスポイントの情報を、ネットワークＮＷを経由してポイント管理サーバー１３に要求する。ポイント管理サーバー１３は、磁気カード読取り装置１２からの要求により、磁気カード読取り装置１２から与えられたカードＩＤに紐付いたサービスポイントの情報を検索し、その検索結果を磁気カード読取り装置１２へ送信する。
【００５１】
磁気カード読取り装置１２のポイント制御部２７ｂは、ポイント管理サーバー１３から取得したサービスポイントの情報を元に、サービスポイントの情報などを表示するよう、自動販売機１１の主制御ユニット１４に依頼する。自動販売機１１の主制御ユニット１４は、磁気カード読取り装置１２のポイント制御部２７ｂからの依頼により、金額等表示器１８などにサービスポイントの情報などを表示する。また、この時に購入可能な商品のみを選択可能にするなどの制御を行っても良い。
【００５２】
顧客は、自動販売機１１の金額等表示器１８などに表示されたサービスポイントの情報により、利用できるサービスポイントの情報を確認する。そして、顧客は、商品選択スイッチ２１の押下などによって、購入したい商品を選択する。自動販売機１１の主制御ユニット１４は、商品が選択されたことを認識し、選択された商品の情報（販売価格など）を磁気カード読取り装置１２のポイント制御部２７ｂへ通知する。
【００５３】
磁気カード読取り装置１２のポイント制御部２７ｂは、自動販売機１１の主制御ユニット１４から通知された「選択された商品の情報」を元に、決済処理を開始する。具体的に、磁気カード読取り装置１２のポイント制御部２７ｂは、自動販売機１１の主制御ユニット１４から通知された商品の情報（販売価格など）を元に、サービスポイントの減算などを行う。そして、磁気カード読取り装置１２のポイント制御部２７ｂは、減算されたサービスポイントの情報などを、ネットワークＮＷを経由してポイント管理サーバー１３へ送信する。ポイント管理サーバー１３は、磁気カード読取り装置１２のポイント制御部２７ｂから送信されてきたサービスポイントの情報の更新を行う。そして、ポイント管理サーバー１３は、サービスポイントの情報の更新結果を、磁気カード読取り装置１２のポイント制御部２７ｂへ通知する。
【００５４】
磁気カード読取り装置１２のポイント制御部２７ｂは、ポイント管理サーバー１３からのサービスポイントの情報の更新結果を元に、商品の販売が可能と判断した場合、自動販売機１１の主制御ユニット１４に決済結果を通知し、あわせて商品の払出しの依頼を行う。自動販売機１１の主制御ユニット１４は、磁気カード読取り装置１２からの「決済結果の通知」及び「商品の払出しの依頼」を元に、商品払出部１７に当該商品の払出しを行う。なお、自動販売機１１の主制御ユニット１４は、磁気カード読取り装置１２から「決済結果の通知」及び「商品の払出しの依頼」が通知されない限り、商品払出部１７に商品の払出しを行うことはない。顧客は、商品払出部１７に払い出された商品を受け取る。
【００５５】
自動販売機１１の主制御ユニット１４は、商品の払出しが完了し、取引が終了した旨を磁気カード読取り装置１２のポイント制御部２７ｂへ通知する。磁気カード読取り装置１２のポイント制御部２７ｂは、取引が終了した旨の通知を元に、自動販売機１１の主制御ユニット１４に、金額等表示器１８などに表示されているサービスポイントの情報などの消去を依頼する。自動販売機１１の主制御ユニット１４は、磁気カード読取り装置１２のポイント制御部２７ｂからの依頼を元に、金額等表示器１８などに表示されているサービスポイントの情報などを消去する。磁気カード読取り装置１２の読取り装置制御部２７は、読取り状況表示部３１における「つかう」のランプを消灯させ、稼働状況表示部３０における「読取り可能であること」を報知するランプを点灯させる。そして、磁気カード読取り装置１２の読取り装置制御部２７は、スピーカー３２などを利用して、取引が完了した旨を報知する。顧客は、スピーカー３２などからの報知により、取引が完了した旨を確認する。
【００５６】
次に、図８を用いて、ポイント付与還元システム１０におけるサービスポイントを使う別の処理（機能２）の流れ、すなわち、ポイント付与還元システム１０におけるサービスポイントの還元の別の流れを説明する。図８は、ポイント付与還元システム１０におけるサービスポイントの還元の別の流れを説明するフローチャートである。
【００５７】
図８に示すように、まず、顧客は、稼働状況表示部３０における「読取り可能であること」を報知するランプの点灯を目視することで、自動販売機１１及び磁気カード読取り装置１２が稼働中であることを確認する。そして、顧客は、商品選択スイッチ２１の押下などによって、購入したい商品を選択する。自動販売機１１の主制御ユニット１４は、商品が選択されたことを認識し、選択された商品の情報（販売価格など）を磁気カード読取り装置１２のポイント制御部２７ｂへ通知する。
【００５８】
顧客は、サービスポイントにより商品を購入するべく、カードスワイプ通路３５ａにおける逆方向に磁気カードＸＡ１をスワイプさせる。これにより、磁気カード読取り装置１２は、磁気カード読取り部２９によって、スワイプされた磁気カードＸＡ１のカードＩＤを取得し、磁気カード情報解読部２７ａによって、磁気カードＸＡ１が逆方向にスワイプされたことを認識する。そして、磁気カード読取り装置１２は、稼働状況表示部３０における「読取り可能であること」を報知するランプを消灯させ、読取り状況表示部３１における「つかう」のランプを点灯させる。
【００５９】
顧客は、読取り状況表示部３１における「つかう」のランプが点灯したことを認識し、サービスポイントを利用した販売動作となったことを確認する。磁気カード読取り装置１２のポイント制御部２７ｂは、カードＩＤに紐付いたサービスポイントの情報を、ネットワークＮＷを経由してポイント管理サーバー１３に要求する。ポイント管理サーバー１３は、磁気カード読取り装置１２からの要求により、磁気カード読取り装置１２から与えられたカードＩＤに紐付いたサービスポイントの情報を検索し、その検索結果を磁気カード読取り装置１２へ送信する。
【００６０】
磁気カード読取り装置１２のポイント制御部２７ｂは、ポイント管理サーバー１３から取得したサービスポイントの情報を元に、サービスポイントの情報などを表示するよう、自動販売機１１の主制御ユニット１４に依頼する。自動販売機１１の主制御ユニット１４は、磁気カード読取り装置１２のポイント制御部２７ｂからの依頼により、金額等表示器１８などにサービスポイントの情報などを表示する。また、この時に購入可能な商品のみを選択可能にするなどの制御を行っても良い。顧客は、自動販売機１１の金額等表示器１８などに表示されたサービスポイントの情報により、利用できるサービスポイントの情報を確認する。なお、自動販売機１１の金額等表示器１８などにサービスポイントの情報などを表示するための一連の処理は、省略することが可能である。
【００６１】
磁気カード読取り装置１２のポイント制御部２７ｂは、自動販売機１１の主制御ユニット１４から通知された「選択された商品の情報」を元に、決済処理を開始する。なお、これ以降の処理は、図７を用いて上で説明した処理と同様であり、ここでの説明は省略する。
【００６２】
次に、図９を用いて、ポイント付与還元システム１０におけるサービスポイントを使う更に別の処理（機能２）の流れ、すなわち、ポイント付与還元システム１０におけるサービスポイントの還元の更に別の流れを説明する。図９は、ポイント付与還元システム１０におけるサービスポイントの還元の更に別の流れを説明するフローチャートである。
【００６３】
図９に示すように、決済処理よりも前の処理は、図７を用いて上で説明した処理と同様であり、ここでの説明は省略する。なお、図７を用いた上での説明では、磁気カードＸＡ１がカードスワイプ通路３５ａをスワイプされてから、商品選択スイッチ２１が押下される場合を例にしているが、ここで説明する処理の流れでは、これに限定されず、商品選択スイッチ２１が押下されてから、磁気カードＸＡ１がカードスワイプ通路３５ａをスワイプされるようにしてもよい。
【００６４】
磁気カード読取り装置１２のポイント制御部２７ｂは、自動販売機１１の主制御ユニット１４から通知された「選択された商品の情報」を元に、決済処理を行う。具体的に、磁気カード読取り装置１２のポイント制御部２７ｂは、自動販売機１１の主制御ユニット１４から通知された商品の情報（販売価格など）を元に、サービスポイントの減算などを行う。なお、ここでの決済処理は、図７又は図８を用いて上で説明した決済処理とは異なり、その一部の処理を意味している。
【００６５】
磁気カード読取り装置１２のポイント制御部２７ｂは、サービスポイントの減算などの処理の結果を元に、商品の販売が可能と判断した場合、自動販売機１１の主制御ユニット１４に決済結果を通知し、あわせて商品の払出しの依頼を行う。自動販売機１１の主制御ユニット１４は、磁気カード読取り装置１２からの「決済結果の通知」及び「商品の払出しの依頼」を元に、商品払出部１７に当該商品の払出しを行う。なお、自動販売機１１の主制御ユニット１４は、磁気カード読取り装置１２から「決済結果の通知」及び「商品の払出しの依頼」が通知されない限り、商品払出部１７に商品の払出しを行うことはない。顧客は、商品払出部１７に払い出された商品を受け取る。
【００６６】
自動販売機１１の主制御ユニット１４は、商品の払出しが完了し、取引が終了した旨を磁気カード読取り装置１２のポイント制御部２７ｂへ通知する。磁気カード読取り装置１２のポイント制御部２７ｂは、取引が終了した旨の通知を元に、自動販売機１１の主制御ユニット１４に、金額等表示器１８などに表示されているサービスポイントの情報などの消去を依頼する。自動販売機１１の主制御ユニット１４は、磁気カード読取り装置１２のポイント制御部２７ｂからの依頼を元に、金額等表示器１８などに表示されているサービスポイントの情報などを消去する。
【００６７】
磁気カード読取り装置１２のポイント制御部２７ｂは、決済処理を元に、更新処理を開始する。具体的に、磁気カード読取り装置１２のポイント制御部２７ｂは、減算されたサービスポイントの情報などを、ネットワークＮＷを経由してポイント管理サーバー１３へ送信する。ポイント管理サーバー１３は、磁気カード読取り装置１２のポイント制御部２７ｂから送信されてきたサービスポイントの情報の更新を行う。そして、ポイント管理サーバー１３は、サービスポイントの情報の更新結果を、磁気カード読取り装置１２の読取り装置制御部２７へ通知する。
【００６８】
磁気カード読取り装置１２の読取り装置制御部２７は、ポイント管理サーバー１３からのサービスポイントの情報の更新結果の通知を元に、読取り状況表示部３１における「つかう」のランプを消灯させ、稼働状況表示部３０における「読取り可能であること」を報知するランプを点灯させる。そして、磁気カード読取り装置１２の読取り装置制御部２７は、スピーカー３２などからの報知により、取引が完了した旨を確認する。
【００６９】
このように、磁気カード読取り装置１２によれば、磁気カードＸＡ１をスワイプする方向が「順方向」であるか「逆方向」であるかによって、顧客の希望が、サービスポイントの付与と還元とのどちらであるかを判別できる。このため、サービスポイントの付与と還元とを判別するための操作ボタンを別途設置する必要がなく、部品増加による装置大型化やコスト増加を防止することができる。
【００７０】
そして、磁気カードＸＡ１の読取り操作と、サービスポイントの付与と還元との選択操作と、をワンアクションでまとめて行うことができ、操作の煩雑さがない。また、スマートフォンやタブレット端末が急速に普及して、ジェスチャーによる操作（例えば、スワイプ、フリックなど）が流向になりつつあることから、磁気カード読取り装置１２は、スワイプによる簡単な操作でサービスポイントの付与と還元が可能であるといえる。
【００７１】
本発明は、上記実施形態に限られるものではなく、その趣旨及び技術思想を逸脱しない範囲で種々の変形が可能である。
【符号の説明】
【００７２】
１２，４２  磁気カード読取り装置（ポイント付与還元磁気カード読取り装置）
１３  ポイント管理サーバー（サーバー）
２７ａ  磁気カード情報解読部（スワイプ方向判別手段）
２７ｂ  ポイント制御部（ポイント制御手段）
２９  磁気カード読取り部（識別情報読取り手段）
３４  サーバー通信部（通信手段）
ＮＷ  ネットワーク（通信回線）
ＸＡ１  磁気カード
【図１】
2015114883.tif 000003
【図２】
2015114883.tif 000004
【図３】
2015114883.tif 000005
【図４】
2015114883.tif 000006
【図５】
2015114883.tif 000007
【図６】
2015114883.tif 000008
【図７】
2015114883.tif 000009
【図８】
2015114883.tif 000010
【図９】
2015114883.tif 000011